(57)【要約】  本発明に係る電動歯ブラシは、ハンドルと、ハンドルに対し可動で、少なくとも一つのブラシを有する回転作動部材を備えるヘッドとからなる。回転作動部材はハンドルの幾何学的軸から外れて位置する。電動歯ブラシは電動モータ及び回転方向スイッチを備え、作動部材を時計回り及び反時計回りに回転させ、機能的にヘッド及びハンドルを結合させ、ヘッド２、１５はハンドルと回転可能に連結し、作動部材３、１６はヘッドに装着され、ハンドルに対してヘッドの回転軸から外れて位置し、ヘッド及びハンドルは弾性手段１０、１９によって連結され、ヘッドにトルクを与えると、ハンドルに対しヘッドを左右に回転させ、その位置でモータ回転方向スイッチはモータ５、２５を時計方向又は反時計方向に回転させる一方、トルクを解放すると、弾性手段をハンドルに対してヘッドを待機位置に保持させ、その位置でモーター回転方向スイッチがモーターを停止する。【選択図】  図２
2014526326.tif 000002
【特許請求の範囲】
【請求項１】
ハンドルと、ハンドルに対し可動で、少なくとも一つのブラシを有する回転作動部材を備えるヘッドとからなる電動歯ブラシであって、該回転作動部材はハンドルの幾何学的軸から外れて位置し、さらに該電動歯ブラシは電動モータを備え、上記作動部材を時計回り又に反時計回りに回転させ、回転方向スイッチを備え、機能的にヘッド及びハンドルと結合させる電動歯ブラシであって、その特徴とするところはヘッド（２）、（１５）はハンドル（１）と回転結合手段によって連結され、上記作動部材（３）、（１６）はヘッド（２）、（１５）に装着され、ハンドル（１）に対してヘッド（２）、（１５）の回転軸から外れて位置し、
そこではヘッド（２）、（１５）及びハンドル（１）は弾性手段（１０）、（１９）によって連結され、該弾性手段は、ヘッド（２）にトルクを与えると、ハンドル（１）に対しヘッド（２）、（１５）を左右に回転させ、その位置でモータ回転方向スイッチはモータ（５）、（２５）を時計方向又は反時計方向に回転させる一方、トルクを解放すると、上記弾性手段（１０）、（１９）はハンドル（１）に対してヘッド（２）、（１５）を待機位置に保持させ、その位置でヘッド（２）、（１５）及びハンドル（１）と結合したモーター回転方向スイッチは、モーター（５）、（２５）を停止するようになっていることを特徴とする電動歯ブラシ。
【請求項２】
上記ヘッド（２）がベース（４）を介してハンドル（１）に旋回可能に装着され、該ベースはハンドル（１）の弾性リブ（１０）に結合されていることを特徴とする請求項１記載の電動歯ブラシ。
【請求項３】
上記ヘッド（２）において円筒ブラシ（３）はハンドル（１）に対するヘッド（２）のベース（４）の回転軸に対し軸偏芯させた回転軸に装着されていることを特徴とする請求項１記載の電動歯ブラシ。
【請求項４】
上記ヘッド（２）のベース（４）はリブ（１０）のベースの両側から距離を置いて位置する端部に長手軸方向に延びるスリットを有し、該リブ（１０）はハンドル（１）内で半径方向に位置し、ヘッド（２）のベース（４）にその端部で結合する形状をなしていることを特徴とする請求項２記載の電動歯ブラシ。
【請求項５】
上記リブ（１０）はモーター（５）の回転方向スイッチの第１の電気的接点（１２）を備え、上記スリット（８）の端部はモーター（５）の回転方向スイッチの第２及び第３接点（１３）、（１４）を備え、各々は第１接点（１２）の両側に距離をおいて位置していることを特徴とする請求項４記載の電動歯ブラシ。
【請求項６】
上記ヘッド（１５）はベース（１８）を介してハンドル（１）に旋回可能に装着され、該ベースはハンドル（１）の内側リブ（２１）と結合する第１の弾性突出部（１９）を備えることを特徴とする請求項１記載の電動歯ブラシ。
【請求項７】
一対の円筒ブラシ（１６）はヘッド（１５）に嵌め込まれ、該ブラシはハンドル（１）に対してヘッド（１５）のベース（１８）の回転軸に偏芯させた固定部（３０）を有していることを特徴とする請求項１記載の電動歯ブラシ。
【請求項８】
上記一対の円筒ブラシ（１６）の固定部（３０）はそれらの回転軸がハンドル（１）の外形の外側で交差するような角度で互いに隣接して位置していることを特徴とする請求項７記載の電動歯ブラシ。
【請求項９】
上記ヘッド（１５）のベース（１８）は、第２の突出部（２０）を有し、好ましくは第１の弾性突出部（１９）と対向するように配置され、上記第１の弾性突出部（１９）はハンドル（１）の一対のリブ（２１）の間に固定されていることを特徴とする請求項６記載の電動歯ブラシ。
【請求項１０】
上記ヘッド（１５）のベース（１８）の第２突出部（２０）はモーター（２５）の回転方向スイッチの接点（２４）を備え、モーター（２５）の回転方向スイッチの二つの接点（２２）および（２３）がハンドル（２１）に固定され、上記接点（２２）および（２３）は第１接点（２４）の両側に一定の距離をおいて配置されている請求項９記載の電動歯ブラシ。
【請求項１１】
上記ヘッド（１５）のベース（１８）の第二突出部はモーター（２５）の回転方向スイッチの一対の接点（２４）および（２４a）を備え、モーター（２５）の回転方向スイッチの接点（２２）、（２３）および（２２a）、（２３a）の二対は、ハンドル（１）に固定され、第１接点（２４）および（２４a）の両側に距離をおいて位置していることを特徴とする請求項９記載の電動歯ブラシ。
【請求項１２】
上記回転ブラシの対（１６）の固定部（３０）はそれらの回転軸がハンドル（１）の外形の外側で交差しない角度、好ましくはそれらの回転軸が互いに平行となる角度で互いに隣接していることを特徴とする請求項７記載の電動歯ブラシ。
【発明の詳細な説明】
【技術分野】
【０００１】
本発明の主題は回転作動部材を有するヘッド部分を備え、上記作動部材を駆動する手段及び回転方向を切り替える手段を有する電動歯ブラシに関する。
【背景技術】
【０００２】
電動歯ブラシは単一の円筒ブラシの形態を成す回転作動部材又は一対のブラシの形態を成す作動部材が一般的で、歯の付着物を有効に除去するようになっている。
【０００３】
歯間を含め、有効な歯の清掃のためには、歯ブラシの動きは歯茎から歯の噛み合わせにむけて、刷毛が回転方式で移動するような方向に歯ブラシのヘッドを移動させることが必要である。
【０００４】
上顎及び下顎の歯の前後の表面を清掃する間はブラシの回転移動は逆転させなければならない。このように公知の歯ブラシは回転方向を変換させる手段を備えている。
【０００５】
このような公知の歯ブラシは上方に伸びるヘッドを有するハンドル部を含むのが典型的で、上記ヘッドはその端部に回転円筒ブラシ又は対向方向に回転する一対のブラシを備えている。
【０００６】
公知の歯ブラシは駆動モーターと、電源と、電気装置をハンドルの内部に備え、これらの装置は少なくともモーターをオンオフさせる。上記歯ブラシのネック部分には回転ブラシヘッドとモーターとを連結する部材を含む。
【０００７】
多くのこのような電動歯ブラシは特許公報に掲載されている。
【０００８】
米国公報2008052845号では電動歯ブラシは平行な回転軸を有する二つのブラシを備え、歯茎から歯のクラウン部に向けて歯の両側を同時にブラシさせるようになっている。内方のチーク部を傷つけるのを減少させるために上記ブラシは部分的にケースで覆われている。さらにこの歯ブラシはブラシの回転方向を変換する手動スイッチを備えている。
【０００９】
米国特許4163300号では一端に共同軸的に円筒ブラシを装着させた長細い本体部材を備え、そのブラシはハンドルに配置された可逆モーターによって回転するようになっており、位置に応じて自動的に逆転させる重量駆動スイッチを有しており、そこではハンドルはブラシの回転が歯茎ラインから歯のクラウン方向に刷毛が移動するようになっている。
【００１０】
米国特許4709438号ではブラシの回転方向の重力駆動スイッチを有する歯ブラシが記載されており,円筒ブラシを備えるヘッド部とハンドル部を備える。この円筒ブラシはハンドルに対して共同軸的に配置される。重力スイッチによってブラシの回転方向はハンドルの動きに従って逆転され、自動的にブラシの回転方向が歯茎から歯のクラウン部に向かって保持される。歯ブラシの正しい位置を得る為に、ブラシは作動部分を形成させる開口を残して保護キャップを備える。この重力スイッチはブラシの作動域の面に対して平行に配置されている。
【００１１】
独国実用新案DE20321083Uでは、電動ブラシがハンドルと二つの対向する方向に回転する円筒ブラシを備えるヘッド部分を有している。ブラシの回転方向は手動スイッチによって変換することができる。回転ブラシには電動モーターとシャフト及びギア又はベルト伝達によって結合されている。ヘッド部分はハンドルの長手方向軸に対して偏芯して取り付けられており、ヘッドに取り付けられた覆いはブラシの周りの半分以上を取り囲む。その結果、使用時にはブラシはその動きの方向が歯の方向及び歯間のギャップの方向に位置するように水平に配置されている。
【００１２】
欧州特許出願第EP02404695では自動歯ブラシが自動制御ユニットによって選択される反対の方向に回転することができる円筒のペイントブラシのようなローターを有している。このブラシは、ハンドルの長手方向軸に位置して配置されている。このブラシの回転方向の変更はシェルの長手方向両端に置かれ、モップ状のロータを一部覆っており、ハンドルに回転可能に装着されている。このシェルの一端が歯茎または歯に接触すると圧力を受けるシェルがハンドルに対して回転し、回転方向スイッチの接点を移動させるようになっている。
【００１３】
米国特許5794296号ではハンドルの長手方向軸に一致して配置された回転ブラシを有する電動ブラシが開示されている。そのブラシの回転方向は歯の上部または底部がブラシされているか否かによって自動的に制御され、歯茎から離れる方向に歯及び歯茎に残存する食物くずを除去するようになっている。この発明によれば、歯ブラシは歯の上部及び底部間の口の内部に位置する方向制御器を利用する。この方向制御器はブラシの回転方向を切り替え、ブラシ操作の間、歯に対し歯ブラシを安定させるように機能する。この方向制御器のハンドルに対する回転によって逆転スイッチを作動させ、ブラシの回転方向を変更し、歯茎から歯の方向にブラシさせ、口から歯ブラシを外す必要がない。この方向制御器は、円筒ブラシの一般的なラインに沿った狭いフレーム状のエレメントであって、ブラシに対し回転可能に取り付けられている。
【００１４】
米国特許3829922号では電動ブラシは回転ブラシが共軸配置されるハンドルを備え、該ブラシはハンドル内に配置された可逆モーターによって駆動される。電動モーターは可逆スイッチによってその方向が制御される。このため、歯ブラシは長手方向に伸びるシールドを備え、スイッチの制御レバーの端部に配置されている。この反対端の近くに、レバーはハンドル内に支持され、第一の作動位置（シールドの端部がブラシの一端に位置し、そのブラシが第一方向に回転する時）から、中立位置（駆動がスイッチオフされる）を通して、第二作動位置（シールドの端部がブラシの他の側に位置し、ブラシが反対方向に回転する）までハンドルに対してレバーの振り子動がブラシの回転軸に実質的に平行な面において可能となっている。このシールドの動きが正常な位置から離れ、上記作動位置の一方又は他方においてブラシの回転軸に垂直をなすと、可逆スイッチの方向にレバーの結合端を移動させてモーターの回転方向を変え、回転ブラシの回転を変える。中立位置（モーターをスイッチオフさせるところ）に、レバーをシールドと共に戻す動きは、、ハンドル内部に取り付けられ、レバーに結合させたスプリングによって付勢される。
【００１５】
フランス特許FR2891452では電動ブラシはハンドルの長手方向軸に対して斜めに方向づけた歯に対する圧力によって回転方向を変更する円筒ヘッド部分を有している。この歯ブラシでは、歯茎から歯に向かって回転するように設計された円筒ブラシを備えている。このブラシはハンドルから取り外し可能で、ケースの内部でシャフトと噛み合わせるように接続されており、その接続は歯ブラシのネック部分を形成している。歯に対しヘッド部分の圧力がかかると、ある位置から他の位置に渡るケースフリップは、その一端をハンドル内に突出させ、電動モーターの回転方向を制御する接点を切り替える。このケースは中央のピボットによってハンドルに支持されており、その面内の動きは、ハンドルの長手方向軸に実質的に平行となるようになっており、米国特許3829922号に記載のヘッド部分のガードレバーと同様になっている。
【００１６】
上記回転円筒ブラシはハンドルの長手方向軸に対して傾斜したケースの端部に配置されており、ブラシング中ユーザーの適切な位置を矯正するようになっている。特にブラシの回転方向は歯並び及び歯間と一致しており、歯に対するヘッド部分の圧力によってハンドルに対してケースを傾斜させ、ハンドル内部に位置するケースの端部がモーターの回転方向を制御する接点を切り替え、ブラシが歯茎から歯のクラウン部に向かって回転するようにするようになっている。
【先行技術文献】
【特許文献】
【００１７】
【特許文献１】米国特許出願公開第2008／052845号明細書
【特許文献２】米国特許第4163300号明細書
【特許文献３】米国特許第4709438号明細書
【特許文献４】独国実用新案第DE20321083U号明細書
【特許文献５】欧州特許出願第EP02404695号明細書
【特許文献６】米国特許第5794296号明細書
【特許文献７】米国特許第3829922号明細書
【特許文献８】仏国特許第FR2891452号明細書
【発明の概要】
【発明が解決しようとする課題】
【００１８】
本発明の解決すべき課題は、作動部材の回転方向を自動的に変え、その変化が歯に対する作動部材の押圧力の方向又は位置の変化によって行われ、歯のブラシング中、作動部材は歯茎から歯の噛み合わせ端への方向に回転させるようにする歯ブラシを得ることにある。
【００１９】
本発明の技術的課題は、ハンドルの歯ブラシのヘッドの回転構成によって解決される。該歯ブラシのヘッドは回転作動部材を備え、ベースに対するヘッドの回転軸に対しヘッドの回転作動部材を偏心して取り付け、他方、作動部材を駆動するモータの回転方向スイッチの接点を、ヘッド及びハンドルと結合させ、ヘッドとハンドルとの相対的回転によってスイッチを作動させることによって解決される。
【課題を解決するための手段】
【００２０】
本発明によれば、電動ブラシはハンドルと、ハンドルに対し可動で、少なくとも一つのブラシを有する回転作動部材を備えるヘッドとを備え、該回転作動部材はハンドルの幾何学的軸から外れて位置する。さらに該電動歯ブラシは作動部材を時計回りに及び反時計回りに回転させる電動モータと回転方向スイッチを備え、機能的にヘッド及びハンドルと結合させる。
【００２１】
そして、本発明の電動ブラシの特徴とするところは、ヘッドはハンドルと回転結合手段によって連結され、上記作動部材はヘッドに装着され、ハンドルに対してヘッド回転軸から外れて位置させる。そこではヘッド及びハンドルは弾性手段によって連結され、ヘッドにトルクを与えると、ハンドルに対しヘッドを左右に回転させ、その位置でモータ回転方向スイッチはモータを時計方向又は反時計方向に回転させる。他方、トルクを解放すると、上記弾性手段はハンドルに対してヘッドを待機位置に保持させ、その位置でヘッドおよびハンドルと連結するモーター回転方向スイッチは、モーターを停止する。
【００２２】
特に、歯ブラシのヘッドがヘッドのベースを介してハンドルに旋回可能に装着されているとき、また、該ベースがハンドルの弾性部材、特に半径方向に位置するリブによって、結合されているとき、又はヘッドのベースが上記部材と結合する弾性突出部、特にハンドルに対し突出部を位置づける一対の内方リブによって結合させるのが好ましい。
【００２３】
また、本発明によれば、歯ブラシのヘッドに装着される作動部材は円筒形を成し、ハンドルに対してヘッドのベースの回転軸に対し軸偏芯させた回転軸を有するのが好ましい。また代わりに、ハンドルに対するヘッドのベースの回転軸に対し、偏芯させた固定部内に一対の円筒形ブラシを歯ブラシのヘッドに装着させてもよい。好ましい実施例では上記ブラシ対は互いに回転軸がハンドルの外径の外側で交差するような角度で配置される。他の好ましい実施例では上記ブラシ対はそれらの回転軸が鈍角を成して交差し、ハンドルの外径の外側でなく交差するように配置させる。好ましくは回転軸が全く交差しないように平行を成す角度で配置される。
【００２４】
本発明の好ましい実施例によれば、ヘッドのベース部はハンドルの弾性部分、例えば半径方向に位置づけたリブのようなものと結合する時、ベースは長手方向軸のスリットを有し、その端部はリブのベースの両側から距離をおいて位置するのが好ましい。該リブはハンドル内に位置し、ヘッドのベース部内に適合する形状を成している。その時モーター回転方向の切り替えを行うために、モーターの回転方向の制御のためのスイッチの第一接点を上記リブに設けるのが最善であり、また、上記スリットの両端に第一接点の両側とは距離をおいて位置する他の二つの接点を設けるのがよい。
【００２５】
本発明の他の実施例によれば、ヘッドのベース部がハンドルに対して突出する部材、特に一対のリブのようなものを結合した弾性突出部を備える時、ヘッドのベース部は第二の硬い突出部を、好ましくは第一の弾性突出部に対向する位置に備えるのが好ましい。その時、モーターの回転方向のスイッチを構成するために、ヘッドのベース部上にある第二の突出部に接点を設けるのが好ましく、モーターの回転方向を切り替えるためのスイッチの二つの接点をそれぞれ第一の接点の両側とは距離をおいてハンドル上に位置させるのがよい。また代わりに、モーターの回転方向のスイッチを構成するために、ヘッドのベース部の第二の突出部がモーターの回転方向を切り替えるためのスイッチの一対の第一の接点を備えることも可能であり、そして二対の第二の接点はハンドルに取り付け、その第二接点の対は接点の第一接点の対の両側に距離を置いて位置させるようにしてもよい。
【００２６】
本発明によれば、十分に技術的課題を解決する。歯ブラシの構成によって使用者は歯ブラシをブラッシング中はヘッドの回転作動部材を歯茎方向に向け、ヘッドが歯の噛み合い端と本質的に一致するように位置させる。本発明によれば、歯茎間のスペース又は歯と頬間のスペースによって、ヘッドブラシは歯に対するブラシ圧はハンドルに対してヘッドの回転がブラシに付与されるようにトルクを与えるだけである。それはハンドル内のヘッドの回転軸に対し作動部材が偏心位置にあるためである。
【００２７】
モーターを始動させ、回転モーターの回転方向を切り替えるには、使用者はブラシの作動部材を歯に対して位置させ、歯に対して作動部材を強く押圧させる必要がある。あるいは、使用者は作動部材を歯に対して位置させ、ハンドルを歯茎から歯の噛み合い端に至る方向に回転させる必要がある。しかしながら歯に対する作動部材の圧力を解放又は上記方向とは反対にハンドルを回転させると、ブラシの駆動モーターを停止させる。何故ならヘッドとハンドルはそれらを結合させる弾性手段の効果によって待機位置まで移動するからである。
【図面の簡単な説明】
【００２８】
以下に本発明の好ましい具体例を添付図面に示し、
【図１】第一の具体例に基づく歯ブラシの長手方向断面図である。
【図２】第二の具体例に基づく歯ブラシの長手方向断面図である。
【図３】図２の歯ブラシのヘッドの前方から見た図面である。
【図４】図１のA-A線断面図で、歯ブラシの配線例を伴う。
【図５】図２のB-B線断面図とC-C線断面図で、歯ブラシの配線例を伴う。
【図６】本発明に係る歯ブラシの使用例を示す。
【図７】本発明に係る他のもう一つの歯ブラシの使用例を示す。
【図８】本発明の第三の具体例の歯ブラシの長手方向断面図である。
【発明を実施するための形態】
【００２９】
本発明の具体例において歯ブラシはハンドル１を有し、円筒形プラスチック本体を成す。他の具体例ではハンドルは円筒形以外の形状を成すことができる。
【００３０】
図１及び図４の第一の具体例では、歯ブラシはヘッド部分２を有し、該ヘッド部分は内部空洞であって歯ブラシの作動部分を構成する単一の円筒ブラシ３を有している。このブラシ３は二つの方向、すなわち右方向（時計方向）又は左方向（反時計方向）に回転することができる。
【００３１】
第一の具体例においてはヘッド２はハンドル１の次に位置しており、円筒形ベース部４によってハンドルに旋回可能に装着されており、ベース部は基本的にハンドル１全体に沿って内部を延びる。
【００３２】
ブラシ３はヘッド２の内部に設けられブラシ３と結合する伝達部６を備え、電動モーター５で駆動される。モーター５の電源７は電池又は蓄電器の形態を成し、ヘッド２の円筒ベース部４内に配置されている。
【００３３】
ヘッド２のベース部４は軸方向に位置する長手方向のスリット８を有する一方、ハンドル１のベースはリブ９の形態を成す弾性ジョイントを有し、該リブはヘッド部４に近いハンドルの端部に位置している。リブ９は半径方向に位置しており、その端部はヘッドのベース部４のケースと共動する形状をなしている。このため、ヘッド２のベース部４は小さい鋭角で双方向に、すなわち待機位置から右及び左方向にハンドル１に対して回転することができ、その位置ではハンドル１の弾性リブ９によって保持される。そのため、上記動きを可能にするためにヘッド２のベース部内ではスリット８の幅をリブ９の幅よりも大きくするべきことは明らかである。
【００３４】
ハンドル１の反対の端部では、歯ブラシのヘッドには凹部を有し、そこではブラシ３はベアリングを介して回転可能に装着され、ブラシ３の回転軸はハンドル１に対してヘッド２のベース部の回転軸とは偏芯して配置されている。この部材の偏芯配置のために、使用者が歯ブラシの刷毛を歯９に対して押し付けるとブラシ３の歯に対する押圧力によってヘッド２をハンドル１に対して待機位置から右又は左に回転させる。これは上記ブラシ３の歯９に対する押圧力の位置及び方向に依存するものである。
【００３５】
ヘッド２及びハンドル１の相対的回転移動を利用してモーター５を開始及び停止させ、モーター５の回転方向を右又は左に切り替えてブラシ３を常に歯茎１１から歯９の噛み合わせ端方向に回転させるようにするために、弾性リブ９が第一接点１２をそのベース部に備え、ハンドル１に対して固定され（すなわち一定位置に保持し）、リブ９に隣接するヘッド２のベース部の円筒ケース内の長手方向スリット８の端部に第二及び第三接点１３、１４を備え、該接点（第二及び第三接点１３、１４）はヘッド２を待機位置から右又は左に倒すと第一接点１２に接触させることができ、それによって全ての接点が制御回路の回線と接続し、モーター５を開始させ、右又は左方向に回転させる。ヘッド２は待機位置に位置する時（弾性リブ９によって保持されている時）、上記接点１２，１３，１４は互いに離間しており、モーターは停止していることは理解できる。同様に当業者にとっては上記接点１２、１３、１４はモーター５および電源８に図４の回路の配線によって接続されるべきであることは理解できる。
【００３６】
また、このように図面のよき理解のために、歯ブラシの配線は図１から省略されるが、当業者にとっては本発明を実施するために、図４は入力オン、入力オフ及びモーター５の回転方向の切り替え、該モーター５がリレーP1、P2を有することを示す機械―電気システムの配線図を示す。
【００３７】
図２、３、及び５に示す第二の具体例では、歯ブラシのヘッドは内部空洞１５であって、一対の円筒形ブラシ１６を備え、これらブラシは歯ブラシの作動部材を構成している。ブラシ１６は両方向、右左に回転可能でそれらは互いに反対方向に回転するようになっている。たとえば歯ブラシのヘッド１５は細長いネック部１７を有し、該ヘッドはハンドル１から離れている。
【００３８】
ヘッド１５は円筒形ベース部１８を介してハンドル内に回転可能に装着され、そのベース部は、端部で一般に閉じられるハンドル内部を延びる。
【００３９】
ヘッド１５のベース部１８はふたつの突出部を有し、該突出部は軸方向に互いに対向して配置され、第一の突出部１９は弾性を成し、第二の突出部２０は硬いものとなっている。ハンドル部１の本体はふたつの短いリブ２１を有し、ヘッド１５のネック部１７側のハンドル端近くで内側に設けられ、ヘッド１５のベース部１８の第一突出部１９の両側に隣接している。さらに、ハンドル部１の本体は二対の接点２２，２３及び２２a、２３aを有し、リブ２１に対向しており、ハンドル１に対して固定されている。その接点対２２，２３及び２２a、２３aはヘッド１５のベース部の第二の突出部の両側とは距離を置いて位置している。この第二の突出部２０は第三の接点対２４及び２４aを備え、この接点はハンドル１に対して移動可能である。
【００４０】
結果として、ヘッド１５のベース部１８はハンドルに対して小さな鋭角で双方向に、すなわ待機位置から右又は左に回転させると、その位置で弾性突出部１９によって保持される。この突出部はハンドル１のリブ２１間に装着される。当業者にとっては、上記動きは第一突出部１９の弾性限界内で可能であることは容易に理解され、このような動きはハンドル１の接点２２，２３及び２２a、２３a間の距離によって制限され、ヘッド１５のベース部１８の第二の突出部２０に位置する第三の接点２４及び２４a間によって制限される。
【００４１】
ブラシ１６は電動モーター２５によって駆動され、該モーターは電池又は蓄電器の形態の電源２６と共に歯ブラシの円筒ハンドル位置内に装着される。
【００４２】
モーター２５の駆動軸の端部は伝達シャフト２８に結合される形２７を成し、該伝達シャフトはヘッド１５のネック部内部にハンドル１に対してヘッド１５のベース部の回転軸と共軸を成している。
【００４３】
ヘッド１５の空洞のソケット内には、上記伝達シャフト２８がふたつの回転ブラシ１６の固定部３０とふたつの角度ギア２９によって結合されている。双方の結合部３０はそれらの回転軸が互いにハンドル１の外形を越えて交差する角度をもって隣接しており、固定部３０は歯ブラシのハンドル部に対しヘッド１５のベース部の回転軸と偏芯して配置されている。
【００４４】
上記部材が偏芯配置（eccentirc placement）されている結果、使用中ユーザーは歯９に対しブラシ１６の刷毛を押圧すると,ブラシ１６の歯に対する押圧力がハンドル１に対しヘッド１５のベース部の回転を待機位置から回転させ、その位置に弾性突出部１９によって保持される。上記右又は左への動きはブラシ１６の歯９の押圧力の位置及び方向に依存する。
【００４５】
第一の具体例で示したと同様に,ヘッド１５のハンドル１に対する回転移動はモーター２５の開始及び停止に使用されると共にモーター２５の回転方向を右又は左に切り替えることに使用される。その結果,ブラシ１６は回転移動を“常に歯茎から歯の噛み合わせ端への方向に向ける清掃動”とする。このようにこの目的のために二対の固定接点２２、２３及び２２a、２３aと、ヘッド１５のベース部１８の第二突出部２０に位置する、可動接点２４、２４aとは回路の配線に接続され、モーター２５及び電源２６を制御することができる。
【００４６】
第一の具体例と同様に、図２では歯ブラシの電気配線は省略されているが、図５に示す具体例が示される。
【００４７】
本発明の第三の具体例においては、図８に示すように歯ブラシのヘッド部１５は内部空洞で一対の円筒ブラシ１６を備える。該ブラシは歯ブラシの作動部材を構成する。ヘッド１５の空洞ソケット内では角度ギア２９によって二つの回転ブラシ１６の固定部に伝達軸２８が結合している。上記第二の実施例と同様である。この実施例においては双方の固定部３０はお互いに隣接して配置され、それらの回転軸は平行に配置され、また鈍角を成して交差している。このような場合、回転軸はハンドル１の外径を越えて交差することなく固定部３０は歯ブラシのハンドルに対しヘッド１５のベース部の回転軸と偏芯して配置されている。
【００４８】
上記部材の平行又は鈍角配置によってヘッド１５の外径を越えてくっつき、ブラシ１６の刷毛部分はブラシ１６のより良い作動角度を口内で、特に内側の歯をブラッシングする時のより良い歯ブラシの範囲を形成する。平行配置はこの具体例ではより好ましい。図８は上方を向く双方の作動部材１６を示しており、すなわちハンドル１から離れる方向を示しており、作動部材１６は下方を向く方向、すなわちハンドル方向を向くようにしてもよい。
【００４９】
図６及び図７では歯ブラシの作動中の回転方向の制御の原理を示しており、第一、第二及び第三具体例においても同様である。
【００５０】
歯ブラシでのターニングは、次のように行われるのが最も好ましい。ブラシ３、１６を歯９に対し押圧し、歯茎１１から歯９の噛み合わせ端の方向への清掃動によってハンドル１を回転させる。そしてハンドル１とヘッド２、１５のベース部４、１８とを結合する弾性部材による弾性力に抗して、ハンドル部１およびベース部４，１８を待機位置に保持する。その位置では歯ブラシを停止させる。歯ブラシによる歯９に対する押圧力を解放すると、ハンドル１を待機位置に回転させ、そこで歯ブラシのモーターを停止させる。
【００５１】
本発明における歯ブラシのターニングの動きは、手動で歯をブラッシングする時に行われる典型的な清掃動と同じである。なぜならば、ハンドル１に対するベース４の回転軸、及びブラシ３，１６の回転軸は瞬時に方向づけが行われるからである。これによって伝統的な歯ブラシを使うことによって得られるブラッシング技術を維持しながら本発明装置を使用することが容易となる。
【００５２】
ハンドル１、ヘッド部２、１５及びブラシ３，１６の相対位置及び形状は、ブラシ３，１６が口内に位置するとき、ハンドル１及びヘッド２，１５を歯茎１１の方向に向け、ブラシ３，１６を歯の方向に向けるように装置を使用することを実質的に不可能にする。結果として、ブラシ３，１６の刷毛の回転動を歯９から歯茎９の方向に向けるようにすることはできない。なぜならば、歯の代わりに、内部の頬又はリップあるいは舌に対してブラシ３，１６を押し付けることが必要となるからである。
【００５３】
歯ブラシにおけるターニングは、ハンドル１によって、歯茎１１から歯９方向に清掃の回転動を行わせると同時に、ハンドル１とベース部４，１８を結合させる、弾性部材からの弾性力を克服するために、歯ブラシ３，１６をブラシされる表面に対して位置させ、その動きによって弾性部材を変形させることによって達成される。結果として作動させる歯ブラシのブラシ３，１６は刷毛が歯茎から歯９の噛み合わせ方向に動く方向に回転する。。
【００５４】
本発明による歯ブラシの構成では、装置を駆動させるために、ヘッド２，１５のベース部４，１８をハンドル１に対して回転させることが必要で、口の中に装置を位置させ、これを不正な位置で回転させるのを不可能とする。なぜならば、歯茎と内部の頬と舌との間には十分なスペースがないからである（そこではブラシ２，１５の一部分を位置させることが必要となる）。さらに、ブラシ３，１６に与えられる歯９に対する押圧力不足となるためである（上記押圧力はハンドル１を回転させ、ブラシ３，１６を駆動するモーターを作動させる必要がある）。
【図１】
2014526326.tif 000003
【図２】
2014526326.tif 000004
【図３】
2014526326.tif 000005
【図４】
2014526326.tif 000006
【図５】
2014526326.tif 000007
【図６】
2014526326.tif 000008
【図７】
2014526326.tif 000009
【図８】
2014526326.tif 000010
【国際調査報告】
2014526326.tif 000011
2014526326.tif 000012
2014526326.tif 000013